(57)【特許請求の範囲】
【請求項１】
溝付きカツプリングによつて溝付き筒状本体（１）に取り付けられかつ連結要素によつて取り付けられた少なくとも１つのスプロケツトを適正に坦持する少なくとも１つの中間支持部材（１０，１１）からなる、自転車の後輪のハブと連係する前記溝付き筒状本体上に複数のスプロケツト（５〜９）を支持する自転車用スプロケツト支持ユニツトにおいて、前記中間支持部材（１０，１１）が、環状周辺冠部（１２，２１）および該環状周辺冠部と実質上同じ平面にありかつ前記溝付き筒状本体（１）に係合可能な輪郭が付けられた内面（１４，２３）からなり、各スプロケツトが、前記中間支持部材（１０，１１）に固定される連続的な環状板によつて構成されることを特徴とする自転車用スプロケツト支持ユニツト。
【請求項２】
各スプロケツトを構成する前記板が、それぞれの中間支持部材（１０，１１）への接続用接続要素の係合用孔を備え、更に、前記中間支持部材（１０，１１）が、前記接続要素を受容するためのそれぞれの孔（１６，１７，２２）を備えていることを特徴とする請求項１に記載の自転車用スプロケツト支持ユニツト。
【請求項３】
前記連結要素は、各スプロケツトを構成する前記板に設けられており、前記中間支持部材（１０，１１）の孔と連結されることを特徴とする請求項１に記載の自転車用スプロケツト支持ユニツト。
【請求項４】
前記連結要素は、前記中間支持部材（１０，１１）に設けられており、各スプロケツトを構成する前記板の孔に連結されることを特徴とする請求項１に記載の自転車用スプロケツト支持ユニツト。
【請求項５】
各スプロケツトを構成する前記板が、例えば、射出成形によつて得られた、インサートとして前記中間支持部材に堅固に連結されることを特徴とする請求項１に記載の自転車用スプロケツト支持ユニツト。
【請求項６】
各スプロケツトを構成する前記板が、少なくとも１つの第１中間支持部材（１０）およびそれぞれのスプロケツトを取り付けるための第２中間支持部材（１１）からなることを特徴とする請求項１に記載の自転車用スプロケツト支持ユニツト。
【請求項７】
前記第１中間支持部材が、前記中間支持部材（１０）の２つの対向面の少なくとも一方に１またはそれ以上のそれぞれのスプロケツト（５，６）の連結のために共通連結要素の係合用の第１の一連の孔（１６）、および第３スプロケツト（７）を連結するための連結要素の係合用の前記第１の一連の孔（１６）に対してより小さい半径で配置された第２の一連の孔（１７）を含むことを特徴とする請求項６に記載の自転車用スプロケツト支持ユニツト。
【請求項８】
前記第２中間支持部材（１１）が、該第２中間支持部材の２つの対向面上で２つのそれぞれのスプロケツト（８，９）の共通連結要素の係合用の単一の一連の孔（２２）を含むことを特徴とする請求項６に記載の自転車用スプロケツト支持ユニツト。
【請求項９】
前記第１中間支持部材（１０）が、前記環状周辺冠部（１２）から半径方向に内方に突出する複数のスポーク（１３）を有し、該スポークが前記筒状本体（１）に設けられた長手方向スロツト（１５）の少なくとも１部分に係合する内方端を有することを特徴とする請求項７に記載の自転車用スプロケツト支持ユニツト。
【請求項１０】
前記スポーク（１３）の各々が、重量の減少用開口を備えていることを特徴とする請求項９に記載の自転車用スプロケツト支持ユニツト。
【請求項１１】
前記スポーク（１３）の各々が、前記溝付き筒状本体（１）の協働スロツト（１５）に係合する歯（１４）で終端し、前記スロツトの半分のみが前記スポークに係合し、その結果前記中間支持部材の内方輪郭が各スポークと重量減少用の他の部分との間にノツチを有することを特徴とする請求項９に記載の自転車用スプロケツト支持ユニツト。
【請求項１２】
少なくとも一つのスプロケツトが前記環状周辺冠部に接触していることを特徴とする請求項１〜１１のいずれかの自転車用スプロケツト支持ユニツト。
【発明の詳細な説明】
【０００１】
【発明の属する技術分野】
本発明は、溝付きカツプリングによつて溝付き筒状本体に取り付けられかつ連結要素によつて取着された少なくとも１つのスプロケツトをその順に支持する少なくとも１つの中間支持部材からなる形の、自転車の後輪のハブと連係する前記溝付き筒状本体上に複数のスプロケツトを支持する自転車用スプロケツト支持ユニツトに関する。
【０００２】
【従来の技術】
上記で示した形の支持ユニツトは例えばヨーロツパ特許公告第０５１０３７１号明細書および対応アメリカ合衆国特許第５１９４０５１明細書に開示されている。
【０００３】
この公知の解決において、上述した中間支持体はブツシユの周部から半径方向に外方に延びかつ共通の円錐面上に横たわるように傾斜された複数のアームとして自転車のハブと連係する上記筒状本体（この筒状本体は代表的にはハブと連係するフリーホイールの本体である）に溝付きカツプリングによつてブツシユを含んでいる軽合金製の本体によつて構成されており、これらのアームはスプロケツトを固定するためのネジの係合用孔を有している段付きの前面を有している。
【０００４】
【発明が解決すべき課題】
上述した形の解決はスプロケツトの取り付け作業をより容易にしながらスプロケツトユニツトの重量を減少しようとする試みにおいて提案された。しかしながら、この形の解決は比較的複雑でかつ製造するのに高価であるという欠点を有している。
【０００５】
本発明の目的は、スプロケツトの重量が従来の解決に対して非常に減少される一方、スプロケツトの取り付け作業がとくに容易かつ簡単でありそして比較的簡単かつ安価な構造が得られる、本明細書の冒頭に指示された形のスプロケツト支持ユニツトを提供することにある。
【０００６】
【課題を解決するための手段】
この目的を達成するために、本発明は、上述した中間支持部材が環状周辺冠部および該環状周辺冠部と実質上同じ平面にありかつ溝付き筒状本体に係合可能な輪郭が付けられた内面からなり、各スプロケツトが前記中間支持部材に固定される環状板によつて構成されていることを特徴とする本明細書の冒頭に指示された形の自転車用スプロケツト支持ユニツトを提供する。
【０００７】
各スプロケツトを構成する前記板がそれぞれの中間支持部材への連結用接続要素の係合用孔を備え、そして前記中間支持部材がこの場合に前記連結要素を受容するための協働孔を備えている。代替として、各スプロケツトを構成する前記板が前記中間支持部材の協働孔と連結される一体の突起を備えているか、または前記中間支持部材と１部片で形成された協働突起と連結される孔を備えている。各スプロケツトを構成する前記板が、例えば、射出成形によつて得られた、インサートとして前記中間支持部材に堅固に連結されても良い。
【０００８】
好適な実施例において、自転車の後輪のハブと連係するフリーホイールの溝付き筒状本体にはこのスプロケツト用の２つの支持部材が連係している。より小さい直径を備えた２つのスプロケツトを支持するためのもである第１の中間支持部材はこれらのスプロケツトを、共通連結要素用の孔を利用して、２つの対向面で支持するのに設けられている。第２の中間支持部材はより大きい直径の３つのスプロケツトを支持し、これらの内の２つはこの第２中間支持部材の２つの対向面上で、共通連結要素によつて係合される孔を利用して支持されている。第３のスプロケツトが、第１の一連の孔に関連して、ユニツトの中心軸線に対してより近接して配置される第２の一連の孔を利用して、中間支持部材の２つの面の一方に支持されている。
【０００９】
もちろん、また異なる数の中間支持部材を設けることもできる。さらに、連結用の同一の孔を利用しかつまた各スプロケツトと他のスプロケツトとの間にスペーサブツシユを設けて、中間支持部材の同一面に固定される多数のスプロケツトを設けることもできる。
【００１０】
上記特徴により、本発明によるユニツトは通常の解決に対して構造の重量が非常に減少されるのを可能にし、一方これらのスプロケツトを取り付ける作業をとくに迅速かつ容易に実施することができる。
【００１１】
本発明を、以下で、限定しない例として単に示す、添付図面を参照して説明する。
【００１２】
【発明の実施の形態】
図１に関連して、符号１は、自転車の後輪のハブと、それ自体公知の方法において、連係するフリーホイールの本体を総括的に示している。ハブ２、ならびにフリーホイール１の構造および配置は、それらがいずれか公知の方法において設けられることができかつ単独で、本発明の範囲内にないので、ここでは詳細には説明されてない。さらに、図面からのこれらの細部の削除は図面をより簡単にしかつ理解を容易にさせる。
【００１３】
それ自体公知の技術によれば、フリーホイールの本体は自転車伝達チエーンによつて係合されるスプロケツトを取り付けるのに役立っている溝付き筒状面を有している。
【００１４】
例示した実施例は９個の異なるスプロケツトが自転車の後輪のハブと連係する場合に関するが、本発明はどのような数のスプロケツトにも一般的に適用され得ることは明白である。
【００１５】
まず、さらに例示の実施例の場合において、すべて参照符号３によつて示されている、最も小さい直径を有する４個のスプロケツトが通常の方法においてフリーホイールの本体１に取り付けられている。これはスプロケツト３の各々が、スペーサリング４の介在によつて、本体１に直接溝付きカツプリングによつて取り付けられることを意味する。それぞれ符号５，６，７，８，９によつて示されている、より大きな直径を有する５個のスプロケツトは代わりに２つの中間支持部材１０，１１の介在によつてフリーホイールの本体１に取り付けられている。
【００１６】
中間支持部材１０は図２〜図４に示されている。この部材は、周辺環状冠部１２および該環状冠部１２から半径方向に内方に突出している複数のスポーク１３からなつている、好ましくは軽合金またはポリマを基礎にした複合材料から作られる実質上平らな板によつて構成されている。例示実施例において、フリーホイール本体は互いに等角度に間隔が置かれた８個の長手方向スロツトを有しており、一方環状冠部１２は、互いに等角度に間隔が置かれる、本体１のスロツト１５に係合する同一数の歯１４でそれらの自由端で終端している４つのスポークを備えている。この配置は板１０が本体１のすべてのスロツトに係合するための８この歯１４を備えた場合に関連して重量の大きな節約を提供する。
【００１７】
しかしながら、溝付き本体１に係合すべくなされたどのような形の輪郭の付いた内面を有する部材１０をも設けることができる。また、図１、図３および図４に明瞭に示されているように、中間支持本体１０は、Ｘで示される、ユニツトの中心軸線に対してより大きな間隔で配置された第１列の４個の孔１６、およびより低い半径において配置されかつ４つのスペーサブツシユ１８（また板１０と１部材で得られるかも知れない）に近接して配置される第２列の４個の孔１７を有している。したがつて、より大きな直径を有する２つのスプロケツト５，６は中間支持部材１０の孔１６の半径に対応している半径において配置された４個の孔１９を各々有している環状板（図８および図９参照）によつて構成されている。
【００１８】
スプロケツト７（図１０）はまた、中間支持部材１０の孔１７の半径に対応している半径において配置された一連の４個の孔２０を備えた、環状板によつて構成されている。この配置により、２つのスプロケツト５，６は、リベツトのごとき、共通の連結要素を受容する、スプロケツト５，６の孔１９および中間支持部材１０の孔１６を利用して、図１に示されるように、中間支持部材１０の対向面に固定され得る。スプロケツト７は代わって、それゆえスペーサ要素として作用している４個のブツシユ１８の前面に、スプロケツト７の孔２０および中間支持部材１０の孔１７を利用して、取り付けられる（また図１に示されるように）。
【００１９】
図５〜図７を参照して、中間支持部材１１は、また連結要素の係合用の４個の孔２２および周辺冠部２１を形成するように半径方向に内方にのびかつ互いに等角度で間隔が置かれる本体１５の同一数のスロツト１５に係合する４個の歯２３で終端する、非常に短い長さの４本のスポークを有している環状冠部２１を有しているので、中間支持部材１０と原理において同じである。２つのスプロケツト８，９は各々孔２２の半径に対応する半径で４個の孔２４を有しており、その結果中間支持部材１１は、該中間支持部材１１およびスプロケツト８，９の孔２２および２４に係合する共通の連結要素を利用して、中間支持部材の２つの対向端面に２つのスプロケツト８，９を取り付けるのに使用され得る。
【００２０】
図１に示されるように、また中間支持部材１０，１１との間にはスペーサリング２５が挿入されている。図７を参照して、ここに説明された例はその周部で減少された厚さを有する板１１を有している。しかしながら、板１１の形状はまた異なっても良いことは明瞭であり、例えば、他の形状の均一な厚さを有することも可能である。
【００２１】
上述した特徴により、本発明によるスプロケツト支持ユニツトは従来の解決に対して大きな重量の減少を提供しかつスプロケツトの取り付け作業をとくに簡単かつ容易にする。同時に、構造は比較的簡単でかつ製造するのに安価である。
【００２２】
もちろん、本発明の原理は同一のままで、構造の細部および実施例は、本発明の範囲から逸脱することなく、例としてのみ説示されたものに関連して幅広く変更可能である。
【００２３】
【発明の効果】
叙上のごとく、本発明は、溝付きカツプリングによつて溝付き筒状本体に取り付けられかつ連結要素によつて取着された少なくとも１つのスプロケツトをその順に支持する少なくとも１つの中間支持部材からなる、自転車の後輪のハブと連係する前記溝付き筒状本体上に複数のスプロケツトを支持する自転車用スプロケツト支持ユニツトにおいて、前記中間支持部材が環状周辺冠部および該環状周辺冠部と実質上同じ平面にありかつ前記溝付き筒状本体に係合される輪郭が付けられた内面からなり、各スプロケツトが前記中間支持部材に固定される環状板によつて構成されている構成としたので、重量を大きく低減しかつスプロケツト取り付け作業を簡単かつ容易にする自転車用スプロケツト支持ユニツトを提供することができる。
【図面の簡単な説明】
【図１】本発明によるスプロケツト支持ユニツトを示す断面図である。
【図２】図１のユニツトの１部分を形成する第１中間支持部材の正面図である。
【図３】図２の第１中間支持部材の斜視図である。
【図４】図３の線ＩＶ−ＩＶに沿う断面図である。
【図５】図１のユニツトの１部分を形成するさらに他の中間支持部材を示す正面図である。
【図６】図５の中間支持部材の斜視図である。
【図７】図６の線ＶＩＩ−ＶＩＩに沿う断面図である。
【図８】図２の中間支持部材に取り付けられるスプロケツトの正面図である。
【図９】図２の中間支持部材に取り付けられるスプロケツトの正面図である。
【図１０】図２の中間支持部材に取り付けられるスプロケツトの正面図である。
【図１１】図５の中間支持部材に取り付けられるスプロケツトの正面図である。
【図１２】図５の中間支持部材に取り付けられるスプロケツトの正面図である。
【符号の説明】
１  溝付き筒状本体（フリーホイール）
５  スプロケツト
６  スプロケツト
７  スプロケツト
８  スプロケツト
９  スプロケツト
１０  第１中間支持部材
１１  第２中間支持部材
１２  周辺環状冠部
１３  スポーク
１４  歯（輪郭付き内面）
１５  長手方向スロツト
１６  孔
１７  孔
２１  周辺環状冠部
２２  孔
２３  歯（輪郭付き内面）
【図１】
0003886232.tif 000002
【図２】
0003886232.tif 000003
【図３】
0003886232.tif 000004
【図４】
0003886232.tif 000005
【図５】
0003886232.tif 000006
【図６】
0003886232.tif 000007
【図７】
0003886232.tif 000008
【図８】
0003886232.tif 000009
【図９】
0003886232.tif 000010
【図１０】
0003886232.tif 000011
【図１１】
0003886232.tif 000012
【図１２】
0003886232.tif 000013